(57)【要約】【課題】本考案は、１つのスイッチでレーザー等の光線の照射を安全に操作することができる光線治療装置を提供することを目的とするものである。【解決手段】光線治療装置は、装置本体１に電気コードを介して接続された治療操作部２を備えており、治療操作部２は、半導体レーザー等の発光素子を備えた照射部３を内蔵している。照射スイッチ２１をオン操作すると、表示器１０及び２０が停止状態から待機状態に表示を変更し、待機状態を表示している間に照射スイッチ２１が再度オン操作されると照射部３が照射を開始する。待機状態の間に照射スイッチ２１がオン操作されずに所定時間経過すると停止状態に戻る。【選択図】図１
0003131883.tif 000002
【実用新案登録請求の範囲】
【請求項１】
人体の被治療部位に光線を照射する照射部と、照射部を作動させるために操作される照射スイッチと、照射スイッチの操作に基づいて照射部を制御する制御部とを備えた光線治療装置において、前記照射部の停止状態及び待機状態を表示する表示器を備え、前記制御部は、前記照射スイッチのオン操作に基づいて前記表示器を待機状態に設定する表示制御手段と、前記表示器が待機状態に設定されている間に前記照射スイッチが再度オン操作された場合に前記照射部を作動させる照射制御手段とを備えていることを特徴とする光線治療装置。
【請求項２】
前記表示制御手段は、前記表示器を待機状態に設定してから所定時間経過するまでに前記照射スイッチが操作されない場合には停止状態に設定することを特徴とする請求項１に記載の光線治療装置。
【考案の詳細な説明】
【技術分野】
【０００１】
本考案は、レーザー等の光線を人体の被治療部位に照射して治療を行うための光線治療装置に関する。
【背景技術】
【０００２】
現在レーザー等の光線を用いる治療技術の開発が進められており、レーザー技術の進展とともに様々な医療分野で活用されるようになってきている。例えば、肩凝りや腰痛といった炎症が起きた被治療部位にレーザーを照射して治療を行ったり、脱毛治療等にも用いられている。
【０００３】
しかしながら、レーザー等の光線を用いる場合出力パワーが大きいために、不用意に照射すると焼損等のトラブルを招く危険性が高く、誤ってレーザーが目に入ると失明するおそれがある。
【０００４】
そのため、光線治療装置の使用にあたって様々な安全対策がとられている。例えば、特許文献１では、半導体レーザから照射されるレーザ光を遮断する遮断板と、遮断板を開閉する照射操作スイッチと、照射操作スイッチと連動する照射開始スイッチ素子とを設けた照射プローブが記載されている。また、特許文献２では、フットペダルスイッチ、接触スイッチ及びレーザ光発射スイッチの３つのスイッチが同時にオンしなければレーザ光が照射できないようにして誤照射を防止した点が記載されている。
【特許文献１】特開平５−９２０４８号公報
【特許文献２】特開２００１−２９２８２５号公報
【考案の開示】
【考案が解決しようとする課題】
【０００５】
上記の特許文献に記載されたように、レーザー等の光線の照射に必要なスイッチの数を増加させて不用意な照射を防止することは安全対策上有効ではあるものの、機器を操作する上では操作が煩雑になり、機器の操作性が低下する欠点がある。また、スイッチの数が増加した場合にいずれかのスイッチの操作が不十分であると照射が行われないが、どのスイッチの操作が不十分なのか操作者がわかりづらく、照射中においてもすべてのスイッチの操作を行う必要があり、いずれかのスイッチの操作が不十分になると照射が停止されてしまうといった問題点がある。
【０００６】
そこで、本考案は、１つのスイッチでレーザー等の光線の照射を安全に操作することができる光線治療装置を提供することを目的とするものである。
【課題を解決するための手段】
【０００７】
本考案に係る光線治療装置は、人体の被治療部位に光線を照射する照射部と、照射部を作動させるために操作される照射スイッチと、照射スイッチの操作に基づいて照射部を制御する制御部とを備えた光線治療装置において、前記照射部の停止状態及び待機状態を表示する表示器を備え、前記制御部は、前記照射スイッチのオン操作に基づいて前記表示器を待機状態に設定する表示制御手段と、前記表示器が待機状態に設定されている間に前記照射スイッチが再度オン操作された場合に前記照射部を作動させる照射制御手段とを備えていることを特徴とする。さらに、前記表示制御手段は、前記表示器を待機状態に設定してから所定時間経過するまでに前記照射スイッチが操作されない場合には停止状態に設定することを特徴とする。
【考案の効果】
【０００８】
上記のような構成を有することで、照射スイッチがオン操作されると表示器が待機状態を表示し、表示器が待機状態を表示している間に再度照射スイッチがオン操作されると光線を照射するようになるので、操作者は表示器の表示状態を確認しながら照射スイッチを操作して照射を行うことができ、不用意に照射動作が行なわれるのを防止することができる。
【０００９】
すなわち、照射スイッチを一度オン操作しただけでは照射動作は行なわれず、表示器が待機状態を表示するだけなので、不用意に照射スイッチが操作されても光線照射は行われることはない。そして、照射動作を行なう場合には照射スイッチを２回オン操作すればよく、簡単な操作で照射することができ、また表示器が待機状態か停止状態か確認して操作することで照射スイッチの誤操作を抑止することが可能となる。
【００１０】
また、表示器を待機状態に設定してから所定時間経過するまでに照射スイッチが操作されない場合には停止状態に設定するようにすれば、待機状態に設定されている間に不用意に照射スイッチが操作されることを抑止することができる。
【考案を実施するための最良の形態】
【００１１】
以下、本考案を添付図面に示す実施形態に基づいて詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１２】
図１は、本考案に係る実施形態に関する概略構成図である。光線治療装置は、装置本体１及び装置本体１に電気コードを介して接続された治療操作部２を備えており、治療操作部２は、半導体レーザー等の発光素子を備えた照射部３を内蔵している。
【００１３】
装置本体１は、マイコン等の制御回路、操作キー及び表示パネルを備えており、各種制御処理を行う。また、発光ダイオード等の発光素子を備えた表示器１０が取り付けられており、表示器１０では、照射部３が停止状態か待機状態であることを赤色や緑色の異なる色で発光して表示するようになっている。
【００１４】
治療操作部２は、把持部２２を手で掴み被治療部位に照射部３を対向させて操作するようになっており、把持部２２の一方の側には表示器２０及び照射スイッチ２１が設けられている。表示器２０は、表示器１０と同様に、照射部３が停止状態か待機状態であることを赤色や緑色の異なる色で発光して表示するようになっている。照射スイッチ２１は、押圧されることでオン状態となるように設定されており、押圧を解除すると図示せぬ付勢部材によりオフ状態に設定されるようになっている。そのため、押圧されない状態では照射スイッチ２１は常時オフ状態となる。
【００１５】
図２は、本実施形態に関するブロック構成図である。装置本体１の制御部１００は、照射制御部１０１、表示制御部１０２及びタイマ１０３を備えており、照射制御部１０１は、照射スイッチ２１のオン操作に基づいて照射部３を作動させてレーザーを照射させるように制御する。表示制御部１０２は、照射スイッチ２１のオン操作及びタイマ１０３からの計時信号に基づいて表示器１０及び２０を停止状態又は待機状態に設定するように制御する。
【００１６】
図３は、照射部３により照射動作を行なう際のフローである。照射を行う場合には、まず照射スイッチ２１がオン操作されたかチェックする（Ｓ１００）。照射スイッチ２１は、押圧することでオン操作されたことが検知されるようになっている。そして、照射スイッチ２１がオン操作されると、表示器１０及び２０が停止状態から待機状態に設定変更される（Ｓ１０１）。例えば、停止状態で赤色に表示されている場合に待機状態で緑色に表示されるようになる。
【００１７】
そして、表示器が待機状態に設定されたからタイマ１０３によりカウントを開始し、タイマのカウント値から所定時間（例えば、２０秒〜３０秒）経過したかチェックする（Ｓ１０２）。所定時間経過していない場合には、照射スイッチ２１がオン操作されたかチェックし（Ｓ１０３）、オン操作されていない場合にはステップＳ１０２に戻る。照射スイッチ２１がオン操作されないままステップＳ１０２で所定時間が経過した場合には、表示器の表示を停止状態に設定変更する（Ｓ１０４）。そのため、不用意に照射スイッチ２１がオン操作されても照射動作は行なわれず、再び停止状態となる。
【００１８】
ステップＳ１０３において照射スイッチ２１が再度オン操作された場合には照射部３を作動させてレーザーが照射開始される（Ｓ１０５）。そして、照射スイッチ２１がオフ操作されたかチェックし（Ｓ１０６）、オフ操作された場合には照射部３の照射動作を停止する（Ｓ１０７）。照射スイッチ２１は、押圧を解除するとバネ等の付勢部材により自動的にオフ操作されるようになっている。したがって、照射スイッチ２１を押圧し続けることで連続してレーザーを照射することができ、押圧を解除すればレーザーの照射を停止することができる。
【００１９】
照射部３の照射が停止されてからタイマ１０３によりカウントを開始し、タイマのカウント値から所定時間（例えば、２０秒〜３０秒）経過したかチェックする（Ｓ１０８）。所定時間経過していない場合には、照射スイッチ２１がオン操作されたかチェックし（Ｓ１０９）、オン操作されていない場合にはステップＳ１０８に戻る。照射スイッチ２１がオン操作されないままステップＳ１０２で所定時間が経過した場合には、表示器の表示を停止状態に設定変更する（Ｓ１０４）。ステップＳ１０９において照射スイッチ２１がオン操作された場合には、ステップＳ１０５に戻り、再び照射部３の照射動作を開始する。
【００２０】
ステップＳ１０４において表示器を停止状態に設定した後は再びステップＳ１００に戻り、照射スイッチ２１のオン操作が行われたかチェックされる。
【００２１】
以上のように、照射部３の照射動作を開始するのは、表示器が待機状態に設定されている間に照射スイッチ２１がオン操作された場合だけであるので、操作者は表示器の表示を確認して照射スイッチ２１の操作を行えば容易に照射動作を開始することができる。また、照射スイッチの１回のオン操作では表示器が待機状態に設定されるだけなので、誤って照射スイッチがオン操作されたとしても照射が行われることがなく、１つの照射スイッチにより簡単かつ安全に照射動作を行なうことが可能となる。
【００２２】
図４は、本実施形態の変形例に関する概略構成図である。この例では、照射スイッチとしてフットスイッチ４を用いるようにしている。フットスイッチ４を用いることで、照射スイッチのオン操作を足の踏み付け動作により行うことができるので、連続してオン操作を容易にすることが可能となり、操作者が治療操作部２の治療動作に集中することができる。そして、上述したようにフットスイッチ４のみの操作でも表示器１０及び２０の表示を確認しながら安全に照射動作を行うことが可能になる。
【図面の簡単な説明】
【００２３】
【図１】本考案に係る実施形態に関する概略構成図である。
【図２】本考案に係る実施形態に関するブロック構成図である。
【図３】照射動作を行なう場合の処理フローである。
【図４】本実施形態の変形例に関する概略構成図である。
【符号の説明】
【００２４】
１    装置本体
２    治療操作部
３    照射部
４    フットスイッチ
10    表示器
20    表示器
21    照射スイッチ
【図１】
0003131883.tif 000003
【図２】
0003131883.tif 000004
【図３】
0003131883.tif 000005
【図４】
0003131883.tif 000006